(57)【要約】【課題】拡散層長が異なるＭＯＳトランジスタのモデルを短時間に容易に作成できる回路シミュレーション装置およびモデル作成方法を提供する。【解決手段】拡散層依存パラメータ補正手段４は、ＭＯＳトランジスタのトランジスタモデル２および種々の拡散層長のトランジスタから抽出した拡散層長依存パラメータのデータからこれらのパラメータの拡散層長依存性の近似式を作成し、作成した近似式を用いて元のパラメータの値と置き換えるパラメータの補正値を計算する。これにより補正値を元のパラメータの値と容易に置き換えでき、拡散層長ＤＬの異なるＭＯＳトランジスタのトランジスタモデルを作成できる。ＭＯＳトランジスタのドレイン電流の拡散層長依存性を考慮した回路シミュレーションが可能となるので高精度のシミュレーションが可能となる。【選択図】　　　図１
2004119608.tif 000002
【特許請求の範囲】
【請求項１】
シミュレーション対象の回路の接続記述が格納された回路ネットリストを読み込み、トランジスタモデルを参照してシミュレーション対象回路の電流・電圧の変化を計算するシミュレーション実行手段と、
所定の拡散層長のトランジスタに基づいて作成されたトランジスタモデルに対して拡散層長に依存して値が変化する拡散層長依存パラメータについての補正近似式を作成し、前記トランジスタモデルとは拡散層長の異なるトランジスタモデルに対する前記拡散層長依存パラメータの補正値を前記近似式を用いて算出する拡散層依存パラメータ補正手段と、
を備えることを特徴とする回路シミュレーション装置。
【請求項２】
前記拡散層長依存パラメータには、しきい値電圧パラメータと移動度パラメータとが含まれることを特徴とする請求項１に記載の回路シミュレーション装置。
【請求項３】
前記しきい値電圧パラメータの拡散層依存性の近似式は、
拡散層長の逆数の多項式であることを特徴とする請求項２に記載の回路シミュレーション装置。
【請求項４】
前記しきい値電圧パラメータの拡散層依存性の近似式は、
予め定められた１以上の近似境界拡散層長により分割された複数の範囲内でそれぞれ選択的に適用される複数の拡散層長の逆数の多項式を含んで構成されることを特徴とする請求項２に記載の回路シミュレーション装置。
【請求項５】
前記移動度パラメータの拡散層依存性の近似式は、
拡散層長の逆数の多項式であることを特徴とする請求項２に記載の回路シミュレーション装置。
【請求項６】
前記移動度パラメータの拡散層依存性の近似式は、
予め定められた１以上の近似境界拡散層長により分割された複数の範囲内でそれぞれ選択的に適用される複数の拡散層長の逆数の多項式を含んで構成されることを特徴とする請求項２に記載の回路シミュレーション装置。
【請求項７】
所定の拡散層長のＭＯＳトランジスタの特性に基づいてトランジスタモデルを作成する第１の手順と、
前記所定の拡散層長とは異なる拡散層長の複数のＭＯＳトランジスタのそれぞれについて拡散層長依存パラメータの値を抽出し前記拡散層長依存パラメータの拡散層長依存を表す近似式を作成する第２の手順と、
シミュレーションで使用するトランジスタの拡散層長における拡散層依存パラメータの補正値を前記近似式により算出し前記所定の拡散層長のＭＯＳトランジスタの特性に基づくトランジスタモデルの拡散層依存パラメータの値と置換する第３の手順と、
を有することを特徴とするトランジスタモデル作成方法。
【請求項８】
前記拡散層長依存パラメータには、
しきい値電圧パラメータと移動度パラメータとが含まれることを特徴とする請求項７に記載のトランジスタモデル作成方法。
【請求項９】
前記しきい値電圧パラメータの拡散層依存性の近似式は、
拡散層長の逆数の多項式であることを特徴とする請求項８に記載のトランジスタモデル作成方法。
【請求項１０】
前記しきい値電圧パラメータの拡散層依存性の近似式は、
予め定められた１以上の近似境界拡散層長により分割された複数の範囲内でそれぞれ選択的に適用される複数の拡散層長の逆数の多項式を含んで構成されることを特徴とする請求項８に記載のトランジスタモデル作成方法。
【請求項１１】
前記移動度パラメータの拡散層依存性の近似式は、
拡散層長の逆数の多項式であることを特徴とする請求項８に記載のトランジスタモデル作成方法。
【請求項１２】
前記移動度パラメータの拡散層依存性の近似式は、
予め定められた１以上の近似境界拡散層長により分割された複数の範囲内でそれぞれ選択的に適用される複数の拡散層長の逆数の多項式を含んで構成されることを特徴とする請求項８に記載のトランジスタモデル作成方法。
【発明の詳細な説明】
【０００１】
【発明の属する技術分野】
本発明は回路シミュレーションの精度向上に関し、特に、これまで考慮されていないＭＯＳトランジスタの拡散層長依存性を組み込んだ回路シミュレーション装置およびトランジスタモデル作成方法に関する。
【０００２】
【従来の技術】
半導体開発において、ＭＯＳトランジスタの微細化に伴って、ＳＰＩＣＥで代表される回路シミュレータのシミュレーション精度の一層の向上が要求されている。
【０００３】
図５は従来の回路シミュレーション装置の構成を示すブロック図である。シミュレーション実行手段１はＳＰＩＣＥに代表されるシミュレータの本体で、実体はコンピュータ上で動作するシミュレーション実行プログラムである。シミュレーション実行手段１はシミュレーション対象の回路の接続記述が格納された回路ネットリスト３を読み込み、ＭＯＳトランジスタのトランジスタモデル２を参照してシミュレーション対象回路の電流・電圧の変化を計算する。
【０００４】
シミュレーションの高精度化にはトランジスタモデルの高精度化が必須であり、トランジスタモデルを高精度化するための、しきい値電圧、狭チャネル効果係数、短チャネル効果係数、移動度、キャリアの速度飽和電圧等のモデルパラメータの抽出方法の改良が行われている（例えば特許文献１参照。）。
【０００５】
また、ＳＰＩＣＥ用のトランジスタモデルとして著名なＢＳＩＭ３，ＢＳＩＭ４のトランジスタモデルの作成において、デバイス条件が変更された場合に、抽出したパラメータを基に変更した条件に対応したパラメータに変更して短時間にトランジスタモデルを作成する方法が開示されている（例えば特許文献２参照。）。
【０００６】
しかしながら、最近、ＭＯＳトランジスタのドレイン電流が拡散層長ＤＬに依存して変化することが非特許文献１で指摘され、新たなシミュレーション精度の低下要因として注目されている。トランジスタ間の分離の微細化に伴い、ＳＴＩ（Ｓｈａｌｌｏｗ　Ｔｒｅｎｃｈ　Ｉｓｏｌａｔｉｏｎ：浅い溝分離）などの分離技術を用いたトランジスタにおいては、周囲に分離領域が存在することにより拡散層およびチャネルの領域に誘起された結晶ひずみの影響によりゲート電極の下部のチャネル領域での移動度が変化してドレイン電流を変化させるものと考えられる。
【０００７】
図６（ａ）はＮチャネルＭＯＳトランジスタの平面図であり、図６（ｂ）はＩＩ−ＩＩに沿った断面図である。図６（ａ）に示すように、拡散層長ＤＬは拡散層およびチャネル形成領域とＳＴＩによる分離領域の境界を表すフィールドパタン３１のゲート電極３２に対して垂直な方向の長さを表し、ソース長とチャネル長とドレイン長とを合わせた長さに相当する。図６（ｂ）において、４１はシリコン基板であり、４２はＰ型ウェルであり、４３はＮ型ソース・ドレイン領域であり、４４はＮ型ＬＤＤ（Ｌｉｇｈｔｌｙ　Ｄｏｐｅｄ　Ｄｒａｉｎ）領域であり、４５はゲート絶縁膜であり、４６はゲート電極であり、４７はＳＴＩ領域であり、４８は絶縁膜である。ＳＴＩ領域４７はシリコン基板４１の表面に掘られた溝に絶縁物を充填して形成され、Ｎ型ソース・ドレイン領域に接している。図６（ａ），（ｂ）ではＮチャネルＭＯＳトランジスタを示したが、ＰチャネルＭＯＳトランジスタは不純物のＮ型とＰ型を変えるだけで、同様の構造である。
【０００８】
ところが、ＢＳＩＭ３，ＢＳＩＭ４のトランジスタモデルを含めて現在の回路シミュレーション装置で用いられるトランジスタモデル２にはドレイン電流の拡散層長ＤＬに対する依存性は組み込まれていない。すなわち、図７のＮチャネルＭＯＳトランジスタのドレイン電流の拡散層長依存性に示すように、拡散層長ＤＬが小さい場合にはドレイン電流ＩＤの測定値（黒丸）が小さくなっているのに対して、現在のＭＯＳトランジスタのモデルでは直線Ｌ０に示されるように、モデルパラメータ抽出に用いたトランジスタの拡散層長ＤＬ０でのドレイン電流ＩＤの値で一定となっている。このために、ＳＰＩＣＥに代表される現在の回路シミュレーション装置ではＤＬ依存性の存在を無視したシミュレーションが行われており、シミュレーション精度の向上を阻害する要因になっている。
【０００９】
【特許文献１】
特開２００１−０３５９３０号公報（図１）
【特許文献２】
特開２０００−３２２４５６号公報（図１）
【非特許文献１】
スコット（Ｇｒｅｇｏｒｙ　Ｓｃｏｔｔ）、外４名、「トランジスタの配置と溝分離に誘起されたストレスにより生じるＮＭＯＳ駆動電流の減少（ＮＭＯＳ　Ｄｒｉｖｅ　Ｃｕｒｒｅｎｔ　Ｒｅｄｕｃｔｉｏｎ　Ｃａｕｓｅｄ　ｂｙ　Ｔｒａｎｓｉｓｔｏｒ　Ｌａｙｏｕｔ　ａｎｄ　Ｔｒｅｎｃｈ　Ｉｓｏｌａｔｉｏｎ　Ｉｎｄｕｃｅｄ　Ｓｔｒｅｓｓ）」、アイイーディーエム技術要約（ＩＥＤＭ　Ｔｅｃｈｎｉｃａｌ　Ｄｉｇｅｓｔ）、米国、アイイーイーイー（ＩＥＥＥ）、１９９９年、ＩＥＤＭ−９９、ｐ．８２７−８３０
【００１０】
【発明が解決しようとする課題】
拡散層長依存性が組み込まれていない現在の回路シミュレーション装置を用いた場合でも、予め拡散層長ＤＬが異なるＭＯＳトランジスタ毎にパラメータ抽出を行って多種類のトランジスタモデルを作成しておき、シミュレーション対象の回路に使用される拡散層長ＤＬのトランジスタモデルを多種類のモデルの中から選択して使用することにより、シミュレーション精度の向上を図ることは可能である。しかしながら、拡散層長ＤＬが異なる多種類のトランジスタモデルを作成するためにパラメータ抽出、パラメータフィッティングの作業に長時間を要することになり、また、シミュレーション時に拡散層長ＤＬに応じてＭＯＳトランジスタモデルを使いわなければならず煩雑で人的ミスが入り込みやすい。
【００１１】
本発明はこのような状況に鑑みてなされたものであり、本発明の目的は、特定の拡散層長ＤＬでパラメータフィッティングされたＭＯＳトランジスタモデルをもとに、広範囲の拡散層長ＤＬに対してＭＯＳトランジスタモデルを短時間に容易に作成できる手段を備えた回路シミュレーション装置を提供することであり、またこの回路シミュレーション装置において種々の拡散層長ＤＬを有するＭＯＳトランジスタモデルを作成する方法を提供することである。
【００１２】
【課題を解決するための手段】
本発明の第１の発明の回路シミュレーション装置は、シミュレーション対象の回路の接続記述が格納された回路ネットリストを読み込み、トランジスタモデルを参照してシミュレーション対象回路の電流・電圧の変化を計算するシミュレーション実行手段と、所定の拡散層長のトランジスタに基づいて作成されたトランジスタモデルに対して拡散層長に依存して値が変化する拡散層長依存パラメータについての補正近似式を作成し、前記トランジスタモデルとは拡散層長の異なるトランジスタモデルに対する前記拡散層長依存パラメータの補正値を前記近似式を用いて算出する拡散層依存パラメータ補正手段と、を備えて構成される。
【００１３】
第２の発明のトランジスタモデル作成方法は、所定の拡散層長のＭＯＳトランジスタの特性に基づいてトランジスタモデルを作成する第１の手順と、前記所定の拡散層長とは異なる拡散層長の複数のＭＯＳトランジスタのそれぞれについて拡散層長依存パラメータの値を抽出し前記拡散層長依存パラメータの拡散層長依存を表す近似式を作成する第２の手順と、シミュレーションで使用するトランジスタの拡散層長における拡散層依存パラメータの補正値を前記近似式により算出し前記所定の拡散層長のＭＯＳトランジスタの特性に基づくトランジスタモデルの拡散層依存パラメータの値と置換する第３の手順とを有することを特徴としている。
【００１４】
【発明の実施の形態】
以下、本発明の好ましい実施の形態について、添付図面を参照しながら詳細に説明する。なお、以下の説明は、本発明の実施の形態を示すものであり、本発明が以下の説明に限定されて解釈されるものではない。
【００１５】
図１は本発明の一実施の形態である回路シミュレーション装置の構成を示すブロック図である。シミュレーション実行手段１は図５の従来の回路シミュレーション装置と同様ＳＰＩＣＥに代表される回路シミュレータの本体で、実体はコンピュータ上で動作するシミュレーション実行プログラムである。シミュレーション実行手段１はシミュレーション対象の回路の接続記述が格納された回路ネットリスト３を読み込み、ＭＯＳトランジスタのトランジスタモデル２を参照してシミュレーション対象回路の電流・電圧の変化を計算することは、図５の従来の回路シミュレーション装置と同様である。しかしながら、図１の回路シミュレーション装置では、シミュレーション実行手段１，トランジスタモデル２，回路ネットリスト３に加えて、拡散層依存パラメータ補正手段４を備えている点が新規である。
【００１６】
拡散層依存パラメータ補正手段４は、ＭＯＳトランジスタのトランジスタモデル２および種々の拡散層長のトランジスタから抽出した拡散層長依存パラメータのデータからこれらのパラメータの拡散層長依存性の近似式を作成し、作成した近似式を用いて元のパラメータの値と置き換えるべきパラメータの補正値を計算する。これにより元のパラメータの値を補正値に容易に置き換えでき、拡散層長ＤＬの異なるＭＯＳトランジスタのトランジスタモデル２ａ（図１には図示せず）を容易に短時間に作成できる。拡散層依存パラメータ補正手段４は、拡散層長依存性近似式生成部１１としきい値／移動度補正計算部１２とを有している。
【００１７】
拡散層長依存性近似式生成部１１は、拡散層長ＤＬの異なる複数のＭＯＳトランジスタの特性測定結果からしきい値電圧パラメータＶＴＨ０の拡散層長依存性の近似式を作成し、また拡散層長ＤＬの異なる複数のＭＯＳトランジスタの特性測定結果から移動度パラメータＵ０の拡散層長依存性の近似式を作成する。ここでしきい値パラメータＶＴＨ０、移動度パラメータＵ０は、ＢＳＩＭ３，ＢＳＩＭ４におけるパラメータＶＴＨ０，Ｕ０にそれぞれ相当する。
【００１８】
しきい値／移動度補正計算部１２は、拡散層長依存性近似式生成部１１で作成され保存された近似式に基づいてトランジスタモデルの所望の拡散層長ＤＬのしきい値電圧パラメータＶＴＨ０および移動度パラメータＵ０の補正された値を計算する。
【００１９】
しきい値電圧パラメータＶＴＨ０および移動度パラメータＵ０の補正された値をもとのトランジスタモデル２に返してトランジスタモデル２ａ（図示せず）に変更することにより、所望の拡散層長ＤＬのドレイン電流特性とよく一致するＭＯＳトランジスタのトランジスタモデルを短時間に容易に生成することができる。
【００２０】
図２は、本発明の第２の実施の形態のトランジスタモデル作成方法のフロー図である。フローは、第１の手順であるステップ２１および２２と第２の手順であるステップ２３および２４と、第３の手順であるステップ２５および２６とを有している。以下、図２を参照しながら図１の第１の実施の形態の回路シミュレーション装置によるトランジスタモデルの作成方法について詳細に説明する。
【００２１】
通常、ＭＯＳトランジスタモデルの各パラメータは、図１には図示していないパラメータ測定・抽出装置を用いて、例えばＤＬ＝ＤＬ０に拡散層長ＤＬを固定した種々のゲートサイズのＭＯＳトランジスタの各端子バイアスを変えたデータから抽出される。図２において、ステップ２１で拡散層長ＤＬ＝ＤＬ０のトランジスタの特性を測定し、ステップ２２で各種のパラメータを抽出しフィッティングして拡散層長ＤＬ＝ＤＬ０のＭＯＳトランジスタの電圧・電流特性をよく再現するトランジスタモデル２を作成する。
【００２２】
次に、ステップ２３で、図３（ａ），（ｂ），（ｃ）に示すような拡散層長ＤＬの異なるＭＯＳトランジスタのドレイン電流、しきい値電圧を測定する。図３（ａ）は、ステップ２１および２２でパラメータ抽出の対象として用いられるＤＬ＝ＤＬ０の拡散層長を有するＭＯＳトランジスタの平面図であり、図３（ｂ）は、ＤＬ０より小さいＤＬ＝ＤＬ１の拡散層長のＭＯＳトランジスタの平面図であり、図３（ｃ）は、ＤＬ０より大きいＤＬ＝ＤＬ２の拡散層長のＭＯＳトランジスタの平面図である。
【００２３】
ステップ２４では、ドレイン電流、しきい値電圧の測定結果からしきい値電圧パラメータＶＴＨ０および移動度パラメータＵ０の拡散層長ＤＬに対する依存性を求めて近似式を作成する。
【００２４】
ドレイン電流の拡散層長依存性を表現するためのパラメータのひとつとして移動度パラメータＵ０を選択した理由は、非特許文献１に記載されているように、ドレイン電流の拡散層長依存性がＳＴＩで分離されたＭＯＳトランジスタのキャリア移動度が拡散層の大きさにより変化することに立脚している。ＳＴＩで分離されたＭＯＳトランジスタは、熱処理によるＳＴＩ部分の体積増大によって拡散層領域が変形し、結晶がひずむ。これによりキャリア移動度が変化し、ドレイン電流が変化する。さらに、キャリア移動度の変化と共にしきい値電圧の変化が生じていることも観測されるため、発明者らはドレイン電流に影響の大きいしきい値電圧パラメータＶＴＨ０を拡散層長ＤＬ依存性を表す第２のパラメータとして選択した。しきい値電圧に拡散層長ＤＬ依存性が観測されることから、ドレイン電流の変化にはＳＴＩによる結晶歪みだけでなく、トランジスタ製造時の不純物のドーズ量変動などの他の要因も関係している可能性が高い。
【００２５】
電気特性の変化は、拡散層長ＤＬに依存し、ドレイン長、ソース長への依存性は小さい。物理的起源に密接に関係して定められたＳＰＩＣＥシミュレータのトランジスタモデルなどでは特に、移動度パラメータＵ０、しきい値電圧パラメータＶＴＨ０の２つのパラメータに拡散層長ＤＬ依存性を導入し、近似式を作成し保存しておくことが有効である。
【００２６】
ステップ２４では具体的には、移動度パラメータＵ０が（１／ＤＬ）のｎ次（ｎは正整数）の多項式に比例する部分と、しきい値電圧パラメータＶＴＨ０が（１／ＤＬ）のｍ次（ｍは正整数）の多項式で変動する部分の２種類に分け、多項式の比例係数を実測に合わせて抽出する。次のような式で表わすことができる。Ｕ０（ＤＬ）＝Ｕ０（ＤＬ＝ＤＬ０）×（ｕｄ０＋ｕｄ１×（１／ＤＬ）＋ｕｄ２×（１／ＤＬ）２　＋ｕｄ３×（１／ＤＬ）３　．．．＋ｕｄｎ×（１／ＤＬ）ｎ　　）…（式１）
ＶＴＨ０（ＤＬ）＝ＶＴＨ０（ＤＬ＝ＤＬ０）＋（ｖｄ０＋ｖｄ１×（１／ＤＬ）＋ｖｄ２×（１／ＤＬ）２　＋ｖｄ３×（１／ＤＬ）３　．．．＋ｖｄｍ×（１／ＤＬ）ｍ　）…（式２）
但し、式１において、（ｕｄ０＋ｕｄ１×（１／ＤＬ０）＋ｕｄ２×（１／ＤＬ０）２　＋ｕｄ３×（１／ＤＬ０）３　．．．＋ｕｄｎ×（１／ＤＬ０）ｎ　）＝１であり、式２において、（ｖｄ０＋ｖｄ１×（１／ＤＬ０）＋ｖｄ２×（１／ＤＬ０）２　＋ｖｄ３×（１／ＤＬ０）３　．．．＋ｖｄｍ×（１／ＤＬ０）ｍ　）＝０となるように選ぶことで、ＤＬ＝ＤＬ０での精度を保ったまま、ＤＬ≠ＤＬ０の範囲での精度を上げることができる。
【００２７】
拡散層長ＤＬが非常に大きい場合にはひずみの影響が小さくなり、ＤＬへの依存性が小さくなる。したがって（１／ＤＬ）の多項式を用いて近似することにより良い近似式を得ることができる。
【００２８】
また、ＮチャネルＭＯＳトランジスタとＰチャネルＭＯＳトランジスタとでは異なったひずみへの依存性をもち、電気特性においても異なる拡散層長ＤＬ依存性を持つが、何れに対しても（１／ＤＬ）の多項式近似は有効であり、拡散層長ＤＬ依存性を表現できる。
【００２９】
以上のようにして第２の手順であるステップ２３および２４で得られた各係数ｕｄ０，ｕｄ１，ｕｄ２，ｕｄ３．．．を持つ移動度パラメータＵ０の拡散層長ＤＬ依存性を近似する多項式、および各係数ｖｄ０，ｖｄ１，ｖｄ２，ｖｄ３，．．．をもつしきい値電圧パラメータＶＴＨ０の拡散層長ＤＬ依存性を近似する多項式が、第１の手順であるステップ２１および２２で得られたＤＬ＝ＤＬ０のＭＯＳトランジスタを用いてパラメータ抽出されたＭＯＳトランジスタモデルと共にシミュレーション時に提示される。
【００３０】
図４（ａ）はＮチャネルＭＯＳトランジスタにおけるしきい値電圧パラメータＶＴＨ０の測定値（黒丸）と多項式で近似した近似曲線Ｌ１との一例を示した図である。このように近似式を作成しておくことにより、ＤＬ＝ＤＬ０とは異なる拡散層長であるＤＬ＝ＤＬ１，ＤＬ＝ＤＬ２等の所望の拡散層長ＤＬに対応するしきい値電圧パラメータＶＴＨ０を容易に求めることができる。移動度パラメータＵ０についても図４（ａ）のしきい値電圧パラメータＶＴＨ０と同様で、近似式を作成しておくことにより、所望の拡散層長ＤＬに対応する移動度パラメータＵ０を容易に求めることができる。
【００３１】
図４（ｂ）はＮチャネルＭＯＳトランジスタのドレイン電流ＩＤの拡散層長ＤＬに対する依存性の測定値（黒丸）と、本発明を適用し近似式を用いて拡散層長毎に補正されたトランジスタモデルから算出したドレイン電流の拡散層長依存性を表す曲線Ｌ２とを比較した図の一例である。図７の従来例の場合とは異なり、図４（ｂ）に示すように、移動度パラメータＵ０およびしきい値電圧パラメータＶＴＨ０に拡散層長依存性を導入することにより、ドレイン電流ＩＤの拡散層長ＤＬに対する依存性をよく表現することが可能となる。なお、ＳＴＩにより分離されたＰチャネルトランジスタにおいては、拡散層長が小さくなると共にドレイン電流が増大するというＮチャネルＭＯＳトランジスタとは逆の依存性を示すが、移動度パラメータＵ０およびしきい値電圧パラメータＶＴＨ０の拡散層長依存性を導入することによりドレイン電流の拡散層長に対する依存性がよく表現できることはＮチャネルＭＯＳトランジスタの場合と同様である。
【００３２】
ステップ２５では、移動度パラメータＵ０の拡散層長ＤＬ依存性を近似する多項式、およびしきい値電圧パラメータＶＴＨ０の拡散層長ＤＬ依存性を近似する多項式を用いてシミュレーション対象の回路中で使用する拡散層長ＤＬにおける移動度パラメータＵ０の補正値およびしきい値電圧パラメータＶＴＨ０の補正値が算出される。
【００３３】
ステップ２６では、元のＤＬ＝ＤＬ０のＭＯＳトランジスタを用いて抽出されたトランジスタモデル２に対し、回路設計者は移動度パラメータＵ０を近似式から計算された補正値に置き換え、しきい値電圧パラメータＶＴＨ０を近似式から計算された補正値に置き換えてそれぞれ変更するにより、元のトランジスタモデル２から所望のＤＬに適合したＭＯＳトランジスタモデルを２ａを作成することができ、高精度のシミュレーションが可能になる。また、拡散層長ＤＬを変えた時に回路設計者が変えなければならない拡散層長依存パラメータは、移動度パラメータＵ０と、しきい値電圧パラメータＶＴＨ０のみであり、拡散層長依存性を少ない手順でトランジスタモデルに組み込むことができる。
【００３４】
なお、図２のフロー図では、第１の手順であるステップ２１および２２と、第２の手順であるステップ２３および２４と、第３の手順であるステップ２５および２６とが連続して実行されるが如く図示されているが、第１の手順と第２の手順とは時間的には独立して実行されることが多く、第１の手順と第２の手順がほぼ並行して実行されることもあるが、第１の手順と第２の手順との間に大きな時間経過がある場合もある。また、第３の手順についても第１の手順、第２の手順と時間的には独立して実行される場合も多く、第１の手順で作成したトランジスタモデルと第２の手順で作成した近似式を用い、ＤＬの異なるトランジスタモデルを使ってシミュレーションするために第３の手順のみを複数回に渡って繰り返す場合もある。
【００３５】
なお、ステップ２６では、回路設計者が人手で元のトランジスタモデルのパラメータの値を近似式から計算された補正値に置き換えるとして説明したが、トランジスタモデルと拡散層長ＤＬの値が指定された場合に、拡散層長依存パラメータ（移動度パラメータＵ０、しきい値電圧パラメータＶＴＨ０）を自動的に近似式から計算した補正値に置き換えて指定された拡散層長ＤＬに対応したトランジスタモデルを生成するように拡張することも可能である。
【００３６】
また、以上の本発明についての説明では、シミュレーションにおいて使用されるＭＯＳトランジスタの拡散層長はシミュレーション回路内で１種類であるとして説明したが、トランジスタまたは複数のトランジスタからなる回路ブロックを単位として拡散層長を指定できるように回路接続記述の形式を変更し、それぞれのトランジスタまたは回路ブロックの単位で対応する拡散層長に適合したトランジスタモデルを生成してシミュレーションに用いるように拡張することも可能である。
【００３７】
さらに、ひとつの（１／ＤＬ）の多項式ではしきい値電圧パラメータＶＴＨ０の拡散層長依存性の誤差の小さい近似ができない場合には、図４（ｃ）に示すように近似境界拡散層長ＤＬＣ以下の範囲とＤＬＣより大きい範囲に分割し、各範囲に対応させて近似式を設定することも可能である。移動度パラメータＵ０の拡散層長依存性についても同様に近似境界拡散層長ＤＬＣ以下の範囲とＤＬＣより大きい範囲に分割し、各範囲に対応させて近似式を設定することも可能である。図４（ｃ）では、近似境界拡散層長ＤＬＣ以下の範囲の近似式による近似曲線Ｌ３とＤＬＣより大きい範囲の近似式による近似曲線Ｌ４により近似の精度を高めている。また、図４（ｃ）ではふたつの範囲に分割した場合を示したが、３以上の範囲に分割して近似式を設定しても良い。
【００３８】
【発明の効果】
以上に説明したように、本発明ではトランジスタモデルをもとに、拡散層長依存性を有するパラメータの近似式を作成し、作成した近似式を用いて得られたパラメータの値を元のパラメータの値と置き換えることにより拡散層長ＤＬの異なるＭＯＳトランジスタのトランジスタモデルを作成するので、所望の拡散層長ＤＬのドレイン電流特性とよく一致するＭＯＳトランジスタのトランジスタモデルを短時間に容易に生成することができる。これにより、ＭＯＳトランジスタのドレイン電流の拡散層長依存性を考慮した回路シミュレーションが可能となり、シミュレーション精度を向上させることが可能となる。
【図面の簡単な説明】
【図１】本発明の回路シミュレーション装置の構成を示すブロック図である。
【図２】本発明のトランジスタモデル作成方法のフロー図である。
【図３】（ａ），（ｂ），（ｃ）はそれぞれ拡散層長ＤＬの異なるＭＯＳトランジスタの平面図である。
【図４】（ａ）はしきい値電圧パラメータＶＴＨ０の測定値と多項式で近似した曲線Ｌ１とを比較した図であり、（ｂ）はドレイン電流ＩＤの拡散層長ＤＬに対する依存性の測定値と計算値とを比較した図であり、（ｃ）は拡散層長の臨界値ＤＬＣ以下の範囲と臨界値ＤＬＣより大きい範囲に分割して近似式を設定する例を示す図である。
【図５】従来の回路シミュレーション装置の構成を示すブロック図である。
【図６】（ａ）はＮチャネルＭＯＳトランジスタの平面図であり、（ｂ）は断面図である。
【図７】従来の回路シミュレーションでは拡散層長依存性が組み込まれていないことを説明する図である。
【符号の説明】
１　　シミュレーション実行手段
２　　トランジスタモデル
３　　回路ネットリスト
４　　拡散層依存パラメータ補正手段
３１　　フィールドパタン
３２，４６　　ゲート電極
【図１】
2004119608.tif 000003
【図２】
2004119608.tif 000004
【図３】
2004119608.tif 000005
【図４】
2004119608.tif 000006
【図５】
2004119608.tif 000007
【図６】
2004119608.tif 000008
【図７】
2004119608.tif 000009